(57)【要約】      （修正有）【課題】液状の化粧品を広く均等に排出させることができる化粧品容器を提供する。【解決手段】化粧品容器は、化粧品を収容し入口部１５を有する内容器１１と、内容器を内部に収容し上側が開放された外容器１２を含む容器本体１０と、外容器の開放された上側に結合される蓋部と、入口部に結合され、内容器の底面に延長される吸引管５０を介して化粧品を外部に排出させる排出手段４０と、下降により排出手段を作動させ、排出手段から排出される化粧品を外部に伝達する吐出部と、を含み、吐出部は、排出手段から化粧品が排出される一側に備えられ吐出口を備える吐出板７０と、排出手段から排出された化粧品を吐出口に伝達するガイド部６０と、ガイド部の周りに結合されるガイドリング９０と、を含み、蓋部は、ガイドリングを取り囲んで吐出部を開閉するように設けられ、排出手段の作動による化粧品の排出時に外部の空気がガイドリングと蓋部の間を経由して上記内容器に伝達される。【選択図】図３
0003232236.tif 000002
【実用新案登録請求の範囲】
【請求項１】
化粧品を収容し入口部を有する内容器と、前記内容器を内部に収容し上側が開放された外容器を含む容器本体と、
前記外容器の開放された上側に結合される蓋部と、
前記入口部に結合され、前記内容器の底面に延長される吸引管を介して化粧品を外部に排出させる排出手段と、
下降により前記排出手段を作動させ、前記排出手段から排出される化粧品を外部に伝達する吐出部と、を含み、
前記吐出部は、前記排出手段から化粧品が排出される一側に備えられ吐出口を備える吐出板と、前記排出手段から排出された前記化粧品を前記吐出口に伝達するガイド部と、前記ガイド部の周りに結合されるガイドリングと、を含み、
前記蓋部は、前記ガイドリングを取り囲んで前記吐出部を開閉するように設けられ、前記排出手段の作動による化粧品の排出時に外部の空気が前記ガイドリングと前記蓋部の間を経由して前記内容器に伝達されるようにし、
前記外容器は、前記内容器と異なる形状の断面を有し、前記内容器にかみ合って前記内容器の位置を拘束するための拘束部を含むことを特徴とする化粧品容器。
【請求項２】
前記内容器は円形の断面を有し、
前記外容器は非円形の断面を有することを特徴とする請求項１に記載の化粧品容器。
【請求項３】
前記内容器は、周りの一定地点に固定溝が設けられ、
前記拘束部は、前記外容器の内側から前記固定溝に向かって延長されて前記内容器が前記外容器に収容されるとき前記固定溝にかみ合って前記外容器の内部で前記内容器の回転を制限する固定端を含むことを特徴とする請求項２に記載の化粧品容器。
【請求項４】
前記外容器は、下側に着脱できるように結合され、前記内容器が装着される底カバーを含み、
前記底カバーは、前記内容器の周りにかみ合う突出部を有することを特徴とする請求項２に記載の化粧品容器。
【請求項５】
前記吐出部は、前記吐出板の上面に備えられた含浸部材をさらに含み、
前記ガイドリングは、前記ガイド部と前記含浸部材を固定することを特徴とする請求項１に記載の化粧品容器。
【請求項６】
前記ガイド部は、周りが上方に突出するように設けられ、
前記ガイドリングは、上端部が内側に折り曲げられて前記含浸部材の周りと接する段差と、内周面から突出して前記ガイド部の下端に引っ掛かる突起を含むことを特徴とする請求項５に記載の化粧品容器。
【請求項７】
前記ガイド部は、周りが上方に突出するように設けられ、
前記吐出板は、周り部分の高さが前記ガイド部から上方に突出した周りに対応し、
前記ガイドリングは、上端部が内側に折り曲げられて前記吐出板の周りと接する段差と、内周面から突出して前記ガイド部の下端に引っ掛かる突起を含むことを特徴とする請求項１に記載の化粧品容器。
【請求項８】
前記吐出板は、
前記吐出口の外側周りにおいて前記ガイド部と凹凸構造によりかみ合うことを特徴とする請求項１に記載の化粧品容器。
【考案の詳細な説明】
【技術分野】
【０００１】
本考案は化粧品容器に関する。
【背景技術】
【０００２】
一般的に広く利用されているファンデーション（ｆｏｕｎｄａｔｉｏｎ）などの固形化粧品や日焼け止め（ｓｕｎ  ｂｌｏｃｋ）などの液体化粧品は、肌を保護するとともに華やかにし、皺を改善するなどの効果のために使用される。このとき、使用者はパフ（ｐｕｆｆ）に化粧品をつけてから肌に塗る方法を用いることができる。
【０００３】
パフの場合、化粧品容器内に収納された状態で販売されてもよく、通常、パフなどは化粧品容器の蓋の内部に収容されていることができる。従って、使用者は化粧品を使用するために、蓋を開けてパフを取り出し、パフに備えられた弾性紐などを指に挟んだ状態でパフを化粧品に接触させることで、パフに所定量だけの化粧品がつくようにすることができる。
【０００４】
このとき、使用者はパフを直接化粧品に接触させなければならないため、使用者がパフを利用して化粧品を加圧する圧力に応じて必要以上の化粧品がパフに付き、パフが無駄遣いになるという問題がある。従って、最近では、スポンジなどに化粧品を含浸させ、使用者がパフでスポンジを押すと、スポンジに染み込んでいた液体化粧品が排出されることによってパフに供給される方式が開発された。
【０００５】
しかし、このような従来の化粧品容器は、既存の問題点と同様に使用者がスポンジを押す圧力に応じてパフに必要以上の化粧品がつくことがあり、また、使用者が誤って過度の圧力でスポンジを加圧すると、パフで肌に直接接触する面だけでなく、使用者の指に隣接する面まで化粧品がついて使用者に大きな不便をもたらすという問題がある。
【０００６】
従って、液状の化粧品を定量吐出しながらスポンジに均一に染み込むように広く均等に排出して使用者が化粧品をうまく塗り伸ばせる化粧品容器が求められている。
【考案の概要】
【考案が解決しようとする課題】
【０００７】
本考案の目的は、液状の化粧品を広く均等に排出させることができる化粧品容器を提供することである。
【課題を解決するための手段】
【０００８】
本考案の一側面による化粧品容器は、化粧品を収容し入口部を有する内容器と、上記内容器を内部に収容し上側が開放された外容器を含む容器本体と、上記外容器の開放された上側に結合される蓋部と、上記入口部に結合され、上記内容器の底面に延長される吸引管を介して化粧品を外部に排出させる排出手段と、下降により上記排出手段を作動させ、上記排出手段から排出される化粧品を外部に伝達する吐出部と、を含み、上記吐出部は、上記排出手段から化粧品が排出される一側に備えられ吐出口を備える吐出板と、上記排出手段から排出された上記化粧品を上記吐出口に伝達するガイド部と、上記ガイド部の周りに結合されるガイドリングと、を含み、上記蓋部は、上記ガイドリングを取り囲んで上記吐出部を開閉するように設けられ、上記排出手段の作動による化粧品の排出時に外部の空気が上記ガイドリングと上記蓋部の間を経由して上記内容器に伝達されるようにし、上記外容器は、上記内容器と異なる形状の断面を有し、上記内容器にかみ合って上記内容器の位置を拘束するための拘束部を含むことを特徴とする。
【０００９】
具体的に、上記内容器は円形の断面を有し、上記外容器は非円形の断面を有することができる。
【００１０】
具体的に、上記内容器は、周りの一定地点に固定溝が設けられ、上記拘束部は、上記外容器の内側から上記固定溝に向かって延長されて上記内容器が上記外容器に収容されるとき上記固定溝にかみ合って上記外容器の内部で上記内容器の回転を制限する固定端を含んでもよい。
【００１１】
具体的に、上記外容器は、下側に着脱できるように結合され、上記内容器が装着される底カバーを含み、上記底カバーは、上記内容器の周りにかみ合う突出部を有することができる。
【００１２】
具体的に、上記吐出部は、上記吐出板の上面に備えられた含浸部材をさらに含み、上記ガイドリングは、上記ガイド部と上記含浸部材を固定することができる。
【００１３】
具体的に、上記ガイド部は、周りが上方に突出するように設けられ、上記ガイドリングは、上端部が内側に折り曲げられて上記含浸部材の周りと接する段差と、内周面から突出して上記ガイド部の下端に引っ掛かる突起と、を含んでもよい。
【００１４】
具体的に、上記ガイド部は、周りが上方に突出するように設けられ、上記吐出板は、周り部分の高さが上記ガイド部から上方に突出した周りに対応し、上記ガイドリングは、上端部が内側に折り曲げられて上記吐出板の周りと接する段差と、内周面から突出して上記ガイド部の下端に引っ掛かる突起と、を含んでもよい。
【００１５】
具体的に、上記吐出板は、上記吐出口の外側周りにおいて上記ガイド部と凹凸構造によりかみ合うことができる。
【考案の効果】
【００１６】
本考案による化粧品容器は、ディープポンプ方式の容器に化粧品の定量吐出及び均一な拡散のための吐出板とガイド部を結合させることで、液状の化粧品を広く均等に排出させることができる。
【図面の簡単な説明】
【００１７】
【図１】本考案の第１実施例による化粧品容器の正面図である。
【図２】本考案の第１実施例による化粧品容器の正面図である。
【図３】本考案の第１実施例による化粧品容器の断面図である。
【図４】図３のガイド部を示した部分拡大図である。
【図５】図３の吐出板を示した部分拡大図である。
【図６】本考案の第１実施例による化粧品容器のガイド部、吐出板、及びガイドリングの結合構造を説明するための断面図である。
【図７】本考案の第２実施例による化粧品容器の斜視図である。
【図８】本考案の第２実施例による化粧品容器の分解斜視図である。
【図９】本考案の第２実施例による化粧品容器の外容器の斜視図である。
【図１０】本考案の第２実施例による化粧品容器の断面図である。
【図１１】本考案の第２実施例による化粧品容器の断面図である。
【図１２】本考案の第２実施例による化粧品容器の部分断面図である。
【考案を実施するための形態】
【００１８】
本考案の目的、特定の利点及び新規な特徴は添付の図面と関連する以下の詳細な説明と好ましい実施例から更に明らかになるだろう。本明細書では、各図面の構成要素に参照番号を付するにおいて、同じ構成要素に限ってはたとえ他の図面上に表示されても、可能な限り同じ番号を付したことに留意すべきである。また、本考案を説明するに当たり、関連する公知技術に対する具体的な説明が本考案の要旨を不要に不明確にすると判断される場合、その詳細な説明は省略する。
【００１９】
以下、添付の図面を参照して本考案の好ましい実施例を詳細に説明する。
【００２０】
図１及び図２は本考案の一実施例による化粧品容器の正面図であり、図３は本考案の一実施例による化粧品容器の断面図であり、図４は図３のガイド部を示した部分拡大図であり、図５は図３の吐出板を示した部分拡大図であり、図６はガイド部、吐出板、及びガイドリングの結合構造を説明するための断面図である。
【００２１】
図１〜図６を参照すると、本考案の一実施例による化粧品容器１は、容器本体１０、蓋部２０、塗布部材３０、排出手段４０、吸引管５０、ガイド部６０、吐出板７０、含浸部材８０、及びガイドリング９０を含んでもよい。
【００２２】
容器本体１０は内部に化粧品を収容することができ、後述する蓋部２０によって上部が密閉または開放されることができる。ここで、化粧品（ＣＯＳ）は日焼け止め（ｓｕｎ  ｂｌｏｃｋ）などの低粘度の化粧溶液であってもよい。容器本体１０は全体的に円筒状であり、下部の角領域が屈曲した形状であってもよいが、本考案はこれに限定されない。
【００２３】
容器本体１０は複数のパーツからなり、化粧品の詰め替えまたは取り替えのために、これらの複数のパーツは互いに着脱できるように構成されてもよい。本実施例において、容器本体１０は、内容器１１、外容器１２、及びショルダー外キャップ１３を含んでもよい。
【００２４】
内容器１１は化粧品を収容する壺（ｊａｒ）状であってもよく、外容器１２内に収容されて二重の保管構造をなすことができる。内容器１１の入口部１５には後述する排出手段４０が着脱できるように結合されてもよい。外容器１２は内容器１１の周囲を取り囲む形状であってもよく、内容器１１が装着される空間を有する。
【００２５】
内容器１１と外容器１２は別途で製作され、異なる材質からなってもよいため、ＰＥＴ、樹脂などの製造費が節減できる様々な材質からなることができ、弾性を有する材質からなって内容物の排出量に応じて体積が次第に縮小することができるなどの様々な材質からなることができ、材質に限定されず、互いに同じ材質からなってもよい。
【００２６】
ショルダー外キャップ１３は外容器１２の上部面を覆って内容器１１の入口部１５及び外容器１２の上部と脱着できるように結合されてもよい。具体的には、ショルダー外キャップ１３の内側面は内容器１１の入口部１５を取り囲む中空状であってもよい。また、ショルダー外キャップ１３の外側面の下端は外容器１２との結合のための構造が形成されてもよく、ショルダー外キャップ１３の外側面の上端には後述する蓋部２０との結合のための構造が形成されてもよい。
【００２７】
例えば、ショルダー外キャップ１３と内容器１１、ショルダー外キャップ１３と外容器１２、ショルダー外キャップ１３と蓋部２０のそれぞれはフック構造で固定されるか、ネジ山結合または締まりばめなどの様々な構造により着脱できるように結合されてもよい。但し、内容器１１と外容器１２は別途の結合構造を有さなくてもよい。内容器１１を取り替える場合、まず、ショルダー外キャップ１３から外容器１２を分離した後、ショルダー外キャップ１３から内容器１１を分離することができる。結合する場合は分離過程の逆順で行われる。
【００２８】
これにより、内容器１１とショルダー外キャップ１３、外容器１２とショルダー外キャップ１３はそれぞれ結合及び分離が可能となり、化粧品を使い切ると、化粧品を追加で注入したり、新しい内容器１１に取り替えることができる。
【００２９】
一方、容器本体１０を構成するパーツの数は例示的なものであり、本考案はこれにより限定されない。例えば、容器本体１０は２個以下または４個以上の独立したパーツで構成されてもよい。これらのパーツはネジ山結合やフランジ構造により互いに結合されて機械的な結合強度を保持するか、気密を保持するためのシーリング部材（不図示）を必要とする場合もある。
【００３０】
蓋部２０は容器本体１０の上部を開閉できるように結合される。また、蓋部２０には後述する塗布部材３０が内部に収容される空間が形成されてもよい。具体的に、蓋部２０は、ショルダー外キャップ１３に結合される下キャップ２１と、下キャップ２１の上部面を覆って下キャップ２１にヒンジ結合される上キャップ２２と、を含んでもよい。このとき、下キャップ２１は上キャップ２２に内挿される軟質のキャッピング部２３を含んでもよい。当該キャッピング部２３は下キャップ２１と同じ材質または異なる材質からなってもよく、上キャップ２２との接触面において密閉力を向上させることができる材質であれば限定されないが、ラバー（ｒｕｂｂｅｒ）またはシリコンのように軟質からなることができる。これにより蓋部２０の気密性を向上させ、化粧品が付いた塗布部材３０や含浸部材８０が固まる問題を解決することができる。
【００３１】
本実施例の蓋部２０はその形態や構造などが特に限定されず、容器本体１０を密閉させ、後述する塗布部材３０を収納することができる如何なる形状や構造で製造できることは言うまでもない。
【００３２】
塗布部材３０は蓋部２０の内部空間に収納され、容器本体１０から排出された化粧品を付けて使用者が手に持って化粧することができる構成である。塗布部材３０は上部に手で握ることができるように把持部３１が備えられてもよい。このとき、塗布部材３０は多孔性の形態を有するスポンジなどのパフまたはブラシであってもよい。
【００３３】
ここで、パフは合成樹脂または天然樹脂などの材質で製造されてもよく、多孔性の形態であるか、網状であってもよく、弾性を有することができる。また、パフは、具体的に、ポリアミド、ポリエステル、ポリエーテル、ポリウレタン、ポリエチレン、ポリスチレン、ポリオレフィン、ポリビニルアルコール、ポリエステル、ポリプロピレン、ポリアクリル、ポリビニルクロライド、エポキシレジン、海綿、ナイロン、綿、不織布、スポンジを含むグループから選択される少なくとも何れか１つ以上によって構成されてもよい。
【００３４】
排出手段４０は内容器１１の入口部１５に着脱できるように結合されて化粧品を外部に排出させる。本実施例による排出手段４０は後述する吸引管５０を介して化粧品を吸い上げて内容物を定量ずつ排出する役割をする。具体的に、排出手段４０は、内容器１１の入口部１５に挿入されて結合されるポンプ本体４１と、一端部が後述するガイド部６０に連通するように結合され、他端部がポンプ本体４１に結合される昇降部４２と、昇降部４２に外挿されて昇降部４２を弾力支持する弾性部材４３と、を含んでもよい。
【００３５】
本実施例において、排出手段４０は後述するガイド部６０を下部に加圧するか、使用者が容器本体１０を上下に振る動作によってポンプ本体４１の内部のシリンダー及びピストン（不図示）が作動し、容器本体１０の内部の内容物を吸引管５０を介して吸い上げて外部に排出させることができる。このとき、ガイド部６０の下部に備えられた昇降部４２が外力によって下降しながらピストンを加圧することができる。このとき、弾性部材４３はバネであってもよく、上端が昇降部４２の下部面に密着され、下端がポンプ本体４１の一領域に固定されるによって昇降部４２を押し上げることができる。
【００３６】
但し、本実施例では、排出手段４０を上記のように説明したが、これに限定されず、内容物を外部に排出させることができる多様な構造で備えられることができる。
【００３７】
吸引管５０は、一端部が排出手段４０に連通するように結合され、他端部が容器本体１０の底面に延長される。即ち、吸引管５０は内容器１１に収容された液体状態の化粧品を排出手段４０に移動させる流路の役割をする。本実施例において、吸引管５０は垂直柱状に例示されているが、吸引管５０の形態は多様であってもよい。
【００３８】
ガイド部６０は排出手段４０と後述する吐出板７０との間に設けられ、排出手段４０から排出された化粧品を拡散させる構成である。図４に示したように、ガイド部６０は上面（吐出板に向かう面）に排出手段４０と連通する排出口６１と、排出口６１から供給された化粧品を拡散させる第１流路６２及び第２流路６３と、を有することができる。
【００３９】
具体的に、ガイド部６０の中心には排出手段４０の出口と連通する排出口６１が設けられる。そして、ガイド部６０は、排出口６１から排出された化粧品を拡散させる第１流路６２と、拡散された化粧品を後述する吐出板７０の吐出口７１に伝達する第２流路６３と、を有することができ、第２流路６３は第１流路６２に連通することができる。
【００４０】
第１流路６２は排出口６１を基準として放射状に設けられてもよい。例えば、第１流路６２は星模様や花模様のように、出口から広がる形に設けられてもよい。このとき、第１流路６２は排出口６１を基準として点対称であってもよく、排出口６１から遠くなるほど、化粧品が通る幅は等しく維持されるか、または変形されてもよい（狭くなるか、あるいは広くなる）。即ち、第１流路６２は、排出手段４０の出口から遠くなる方向に連続的であり、排出手段４０の出口を中心とする仮想の円に従う方向には非連続的であってもよい。
【００４１】
第２流路６３は排出口６１を基準として点対称に設けられてもよく、排出口６１を基準とする円形に設けられてもよい。このとき、第２流路６３は、化粧品が通る幅が全て等しいか、または互いに異なる同心円状に設けられてもよく、同心円はそれぞれ第１流路６２と連通してもよい。即ち、第２流路６３は、排出口６１から遠くなる方向に非連続的で、第１流路６２において非連続的な部分を連結することができる。
【００４２】
排出口６１は第２流路６３とは直接連結されず、第１流路６２と直接連結されてもよく、排出手段４０から化粧品が排出されるとき、化粧品は排出口６１を介して第１流路６２に広がって拡散されることができる。その後、化粧品は、第１流路６２に連通した第２流路６３に広がり、円形の第２流路６３に満たされることができる。第２流路６３に満たされた化粧品は、後述する吐出板７０の吐出口７１に抜け出るようになる。このため、第２流路６３は吐出板７０に設けられた複数個の吐出口７１と連通することができる。
【００４３】
また、ガイド部６０は、後述する吐出板７０及び含浸部材８０をカバーするように縁が上部に突出した側面部６５をさらに含んでもよい。側面部６５はガイド部６０の上面に装着される吐出板７０及び含浸部材８０よりさらに上部に延長されて上面に装着された構成（吐出板と含浸部材）を外側から支持することができる。また、側面部６５は後述する吐出板７０及び含浸部材８０の間を密閉することができる。
【００４４】
吐出板７０はガイド部６０の上面に装着され、複数個の吐出口７１を備える。図５に示したように、複数個の吐出口７１は放射状に設けられてもよい。吐出口７１は吐出板７０の内側に備えられたガイド部６０の第２流路６３に対応することができ、吐出口７１に吐出された化粧品は吐出板７０上に備えられた含浸部材８０に染み込まれるようになる。このとき、排出された化粧品は複数個の吐出口７１によって吐出板７０の上部面に均等に吐出されることができる。
【００４５】
吐出板７０は錆びが生じることが防止される鉄、ステンレススチール、銅、亜鉛、スズ、アルミニウムなどの金属材質からなってもよく、このような素材の合金またはめっきされた金属材質からなってもよい。また、吐出板７０は合成樹脂のような非金属材質またはセラミック材質からなってもよい。但し、吐出板７０の材質はこれに限定されるものではない。
【００４６】
このように、吐出口７１を介して排出された化粧品を吐出板７０に全体的に分配させることができる。ここで、複数個の吐出口７１は同心円状をなしているが、これに限定されず、様々な形状からなってもよい。
【００４７】
含浸部材８０は吐出板７０の上面に備えられる。含浸部材８０はスポンジなどのクッション感のある多孔性物質であってもよく、吐出板７０の吐出口７１を介して吐出される内容物が含浸部材８０に含浸されて吐出口７１の周辺だけでなく、全体的に均等に広がるようにすることができる。
【００４８】
含浸部材８０がスポンジである場合、スポンジはポリアミド、ポリエステル、ポリエーテル、ポリウレタン、ポリエチレン、ポリスチレン、ポリオレフィン、ポリビニルアルコール、ポリプロピレン、ポリアクリル、ポリビニルクロライド、エポキシレジン、海綿、ナイロン、綿、不織布などを含むグループから選択される少なくとも何れか１つ以上により構成されてもよい。
【００４９】
他の実施例において、含浸部材８０は化粧品が含浸されない金属材質に代替されてもよい。含浸部材８０は、使用者のニーズに応じて、または季節に応じて様々な材質が選択されてもよく、交換が可能である。
【００５０】
ガイドリング９０はガイド部６０の周りにリング状に結合されてガイド部６０、吐出板７０、及び含浸部材８０を一緒に固定させる構成である。ガイドリング９０は内側がガイド部６０の側面部６５と結合され、外側が容器本体１０または蓋部２０の内周面に接することができる。ガイドリング９０は排出手段４０の作動時にガイド部６０と一緒に昇降し、ガイドリング９０の外側は別途の結合構造を有さない。そして、化粧品の排出時に外部の空気がガイドリング９０の外側に流入されることができる。
【００５１】
具体的に、図６を参照すると、ガイドリング９０は上端部が内側に折り曲げられた段差９１と、内周面から突出した突起９２とを含んでもよい。段差９１はガイド部６０の側面部６５の上端をフック構造で制限し、突起９２はガイド部６０の底面の角を支持する役割をする。ガイド部６０は段差９１及び突起９２によってガイドリング９０と着脱できるように結合されてもよい。
【００５２】
ガイドリング９０はガイド部６０と結合された状態で、ガイド部６０と一緒に昇降することができる。ガイド部６０の挿入部６７は排出手段４０の昇降部４２に挿入され、排出手段４０の化粧品の排出動作時に昇降部４２が昇降すると、ガイド部６０及びガイドリング９０も一緒に昇降する。
【００５３】
吐出板７０または含浸部材８０を取り替える場合、まず、使用者はショルダー外キャップ１３から蓋部２０を分離した後、吐出板７０または含浸部材８０を上から押してガイド部６０をガイドリング９０の突起９２から離脱させることで、ガイド部６０に装着された吐出板７０と含浸部材８０を分離することができる。
【００５４】
このように、本実施例による化粧品容器１は、ディープポンプ方式の容器に化粧品の定量吐出及び均一な拡散のための吐出板７０とガイド部６０を結合させることで、液状の化粧品を広く均等に排出させることができる。
【００５５】
また、吐出板７０上に含浸部材８０を備えることで、液状の化粧品が飛び散ることを防止することができる。
【００５６】
また、ガイド部６０、吐出板７０、含浸部材８０を着脱できるように構成することで、各構成の清掃及び取り替えが容易である。
【００５７】
また、ショルダー外キャップ１３に内容器１１と外容器１２を着脱できるように結合することにより、化粧品の詰め替え及び内容器の取り替えが容易である。
【００５８】
また、キャッピング部２３を備えて蓋部２０の気密性を向上させて、化粧品の付いた塗布  部材３０や含浸部材８０が固まる問題を解決することができる。
【００５９】
図７は本考案の第２実施例による化粧品容器の斜視図であり、図８は本考案の第２実施例による化粧品容器の分解斜視図であり、図９は本考案の第２実施例による化粧品容器の外容器の斜視図である。
【００６０】
また、図１０及び図１１は本考案の第２実施例による化粧品容器の断面図であり、図１２は本考案の第２実施例による化粧品容器の部分断面図である。
【００６１】
以下では、本実施例が上述した実施例に比べて変わる点を中心に説明し、説明を省略した部分は上述した内容に代える。
【００６２】
図７〜図１２を参照すると、本考案の第２実施例による化粧品容器１は、容器本体１０、蓋部２０、塗布部材３０、排出手段４０、吸引管５０、ガイド部６０、吐出部を含む。このとき、吐出部は排出手段４０から排出された化粧品を外部に伝達する構成であり、吐出板７０、含浸部材８０、ガイドリング９０などを含む構成を指す。
【００６３】
容器本体１０は化粧品を貯蔵する。本実施例の容器本体１０は、上述した実施例と同様に、内容器１１と外容器１２を含んでもよく、内容器１１は化粧品を収容して入口部１５を有し、外容器１２は内容器１１を内部に収容する。
【００６４】
外容器１２は上側が開放されてもよく、開放された外容器１２の上側には口部１２１が設けられ、後述する蓋部２０が口部１２１に結合されて外容器１２を密閉することができる。
【００６５】
但し、本実施例は、外容器１２と内容器１１が互いに異なる形状の断面を有するように設けられてもよい。例えば、内容器１１は円形の断面を有し、外容器１２は非円形である多角形の断面を有することができる。
【００６６】
内容器１１が外容器１２内に収納されるとき、外容器１２は内容器１１に対して揺れたり回転しない固定を具現することができ、このために、外容器１２には拘束部１２２が設けられてもよい。
【００６７】
内容器１１は、図８に示したように周りの一定地点に固定溝１１１が少なくとも１つ以上備えられてもよい。固定溝１１１は側面と上面の間を連結する角部分に備えられてもよいが、これに限定されず、外容器１２の内面と対向できる外面に自由に備えられる。
【００６８】
内容器１１の固定溝１１１に対応して外容器１２は拘束部１２２を有するが、拘束部１２２は外容器１２の内側において固定溝１１１に向かって延長されて内容器１１が外容器１２に収容されるとき、固定溝１１１にかみ合うことができる。この場合、拘束部１２２は固定端のような形状を有することができ、拘束部１２２の先端は固定溝１１１に締まりばめできる構造を有する。
【００６９】
円形断面を有する内容器１１に２つ以上の固定溝１１１が入口部１５を中心として放射状に設けられる場合、外容器１２は拘束部１２２により複数の固定溝１１１を固定することで、外容器１２内で内容器１１が回転することを制限することができ、また、内容器１１の揺れも防止することができる。
【００７０】
拘束部１２２は内容器１１を安定的に支持するために、固定溝１１１に挿入される先端から基端に向かうほど幅や厚さなどが厚くなる形状であってもよい。例えば、拘束部１２２は外容器１２の内側上面から下方に向かって延長された逆台形であってもよい。
【００７１】
また、外容器１２の内側上面と内容器１１の固定溝１１１の間の離隔距離により拘束部１２２の固定強度が低下しないように、拘束部１２２は外容器１２の内側上面において内容器１１の断面に対応するリム（Ｒｉｍ、符号不図示）が下方に延長された後、リムから拘束端が延長される形態を有することもできる。
【００７２】
外容器１２には内容器１１の取り替えのために底カバー１６が備えられてもよい。このため、外容器１２は化粧品の排出のために上側が開放されるとともに下側も開放されてもよく、下側に底カバー１６が着脱されることによって外容器１２の内部が開放または閉鎖されてもよい。
【００７３】
底カバー１６は、内容器１１の下面に装着されてもよく、内容器１１の周りがかみ合う突出部１６１を有する。即ち、底カバー１６において内容器１１と対向する上面には、内容器１１の下面の周りがかみ合うように円形または円弧の突出部１６１が設けられる。
【００７４】
従って、内容器１１は外容器１２内に収容されながら内容器１１の固定溝１１１に外容器１２の拘束部１２２が結合され、底カバー１６の突出部１６１により内容器１１の下面がかみ合うようになり、揺れたり回転することなく安定的に外容器１２内に位置することができる。
【００７５】
勿論、固定溝１１１と拘束部１２２は逆に設けられてもよい。即ち、外容器１２に固定溝１１１が設けられ、内容器１１に拘束部１２２が設けられることも十分可能であり、その他にも内容器１１の動きを拘束することができるのであれば、制限なく多様な構造が適用できる。
【００７６】
外容器１２は少なくとも一部分が半透明／透明材質からなってもよい。従って、内容器１１内の化粧品の残量などが外部から確認できる。また、外容器１２と内容器１１の間の空いた空間を活用して美感を向上させることも可能である。
【００７７】
底カバー１６と外容器１２との結合は内容器１１が外容器１２から不要に引き出されることが防止できる程度に設けられてもよく、締まりばめや凹凸結合などの様々な方式を用いることができる。
【００７８】
蓋部２０は外容器１２の開放された上側に結合される。外容器１２には蓋部２０の結合のために口部１２１が設けられてもよく、口部１２１の外側に蓋部２０がかみ合って固定されてもよい。
【００７９】
蓋部２０は下キャップ２１と上キャップ２２を含み、上述した実施例におけるキャッピング部２３は本実施例では省略されてもよい。本実施例の下キャップ２１は容器本体１０のショルダー外キャップ１３に結合される上述した実施例と異なり、外容器１２の口部１２１に直接結合されてもよい。
【００８０】
口部１２１の外面には突起（符号不図示）が設けられ、下キャップ２１の内面には溝（符号不図示）が設けられて、下キャップ２１が口部１２１に強固に結合されることができる。勿論、下キャップ２１と口部１２１はネジ結合により締結されてもよい。
【００８１】
口部１２１は後述する吐出部を取り囲むように設けられてもよい。このとき、口部１２１／下キャップ２１と吐出部との間には間隙Ｇが形成されるが、間隙Ｇを介して外部の空気が外容器１２の内部に流入されることができる。
【００８２】
本実施例の排出手段４０は吸引管５０を利用するポンプであってもよく、貯蔵空間を外部と隔離させるエアレスポンプタイプ（ａｉｒｌｅｓｓ  ｐｕｍｐ  ｔｙｐｅ）ではない、貯蔵空間を外部と連通させ、貯蔵物の排出に対応して外部の空気が貯蔵空間に充填されるディープポンプタイプ（ｄｅｅｐ  ｐｕｍｐ  ｔｙｐｅ）で設けられてもよい。
【００８３】
ディープポンプタイプの場合、内容器１１の内部に外部の空気が流入なれければならないが、内容器１１は外容器１２に取り囲まれており、外容器１２の上側は蓋部２０によってカバーされ、下側は底カバー１６によってカバーされる。
【００８４】
このとき、本実施例は、外容器１２の上側において吐出部の周辺に間隙Ｇを形成し、間隙Ｇを介して外部の空気が外容器１２の内部に進入するようにすることができる。即ち、排出手段４０を作動させて化粧品が排出されることに応じて内容器１１内の化粧品が減少して内圧が減ると、下キャップ２１／口部１２１と吐出部との間に形成された間隙Ｇを介して空気が外容器１２内に流入された後、内容器１１の内圧により自然に内容器１１の内部に吸引されることができる。
【００８５】
間隙Ｇを介して外容器１２内に進入した空気は、内容器１１の入口部１５を介して内容器１１の内部に流入されることができるが、このため、内容器１１の入口部１５に設けられる排出手段４０は空気の流入が許容される構造を有することができる。
【００８６】
上キャップ２２は下キャップ２１をカバーする。下キャップ２１は外容器１２の口部１２１に設けられるが、上下に開放された中空状であってもよく、下キャップ２１の上側を上キャップ２２がカバーすることにより、吐出部がカバーされることができる。
【００８７】
上キャップ２２は下キャップ２１にヒンジ回転できるように連結されてもよいが、別途の連結なしに独立して着脱される構造で設けられてもよい。
【００８８】
また、本実施例の蓋部２０は、下キャップ２１と上キャップ２２の間に中体２４を備えてもよい。中体２４は上キャップ２２を下キャップ２１に連結したヒンジ（符号不図示）により連結されてもよく、または別途の脱着または開閉構造が適用されてもよい。
【００８９】
中体２４は下キャップ２１を開閉するように設けられ、中体２４にはパフなどの塗布部材３０が配置されて収納されてもよい。下キャップ２１に覆われた中体２４は上キャップ２２によって開閉されてもよい。従って、吐出部は下キャップ２１によって取り囲まれ、中体２４によって一次にカバーされ、上キャップ２２によって２次カバーされてもよい。
【００９０】
従って、本実施例は、塗布部材３０が吐出部と隔離されて保管されるようにするため、塗布部材３０の塗布面を吐出部の含浸部材８０に残留した化粧品から離隔させて、衛生性を向上させることができる。
【００９１】
排出手段４０は、内容器１１の入口部１５に結合され、内容器１１の底面に延長される吸引管５０を介して化粧品を外部に排出させる。排出手段４０は吸引管５０を利用するディープチューブポンプタイプであることは上述した通りである。
【００９２】
このため、排出手段４０は、ポンプ本体４１、昇降部４２、弾性部材４３を含んでもよいが、これについては上述した実施例で説明した内容に代える。
【００９３】
吸引管５０は、一端が排出手段４０に連通するよう連結され、他端が内容器１１の底に向かって延長されるように設けられる。従って、排出手段４０の作動時に、化粧品は吸引管５０に沿って吸い上げられて昇降部４２を介して吐出部に伝達されることができる。
【００９４】
吸引管５０を介して排出される化粧品の量だけ内容器１１の内圧が下がり、このとき、外部の空気が間隙Ｇを介して外容器１２の内部を経由して内容器１１に流入されるため、内容器１１は適正な圧力を保持することができる。
【００９５】
吐出部は、下降することで排出手段４０を作動させ、排出手段４０から排出される化粧品を外部に伝達する。吐出部はガイド部６０、吐出板７０、含浸部材８０、ガイドリング９０などを含む用語として使用されることができる。
【００９６】
ガイド部６０は、排出手段４０から排出される化粧品を吐出板７０の吐出口７１に伝達する。ガイド部６０は下端に挿入部６７が設けられ、挿入部６７が排出手段４０の昇降部４２に差し込まれてガイド部６０が下降するとき昇降部４２が下降しながら排出手段４０の排出動作が行われることは上述の第１実施例で説明した通りである。
【００９７】
ガイド部６０は上面において化粧品が拡散されるようにする構造を有し、化粧品はガイド部６０と吐出板７０が固定される周り部分を除いた内側の部分を拡散空間にして広がることができる。このとき、ガイド部６０には第１流路６２や第２流路６３が形成されてもよく、または流路を区分する構造がなく開放された円盤状の空間が拡散空間を構成することもできる。
【００９８】
このような拡散空間は少なくとも吐出板７０に設けられる吐出口７１を全てカバーする形状及び大きさを有するように備えられてもよい。また、拡散空間は排出手段４０の出口から吐出口７１への距離、吐出口７１の大きさなどを考慮した内部構造を有することができる。
【００９９】
ガイド部６０の周りには側面部６５が上方に突出され、側面部６５を介してガイドリング９０がかみ合うことができる。また、ガイド部６０の周り部分には吐出板７０が結合されてもよい。
【０１００】
吐出板７０は排出手段４０から化粧品が排出される一側に備えられ、吐出口７１を備える。吐出板７０は放射状などの様々な形状に１つ以上の吐出口７１が配置された板状であってもよい。
【０１０１】
吐出板７０の下面はガイド部６０の上面と離隔されていてもよく、離隔空間が上述した拡散空間として使用されてもよい。但し、吐出板７０の周りとガイド部６０の周りは密着されることによって、拡散空間で拡散される化粧品が外部に漏れることを防止することができる。
【０１０２】
このため、吐出板７０の周りとガイド部６０の周りの間には別途のシーリング部材（不図示）が備えられてもよく、シーリング部材は上下接着を利用して拡散空間の外側をシーリングすることができる。
【０１０３】
また、吐出板７０は下面において周りが下方突出するように段差が形成され、下面の周りがガイド部６０の上面の周りと接してシーリングされることができる。この場合、吐出板７０の下面の中心とガイド部６０の上面の中心は互いに離隔されていて拡散空間を形成するようになる。
【０１０４】
及び／または、吐出板７０は吐出口７１の外側周りにおいてガイド部６０と凹凸部７２によりかみ合うことができる。吐出板７０には突出構造が適用され、これに対応してガイド部６０には陥没構造が適用されることで、吐出板７０とガイド部６０が強固に嵌め込まれて結合されることができる。凹凸部７２を利用する場合、ガイド部６０に対する吐出板７０の装着角度が制限されることがある。
【０１０５】
吐出板７０はガイド部６０と同様に、周りが上方に突出するように設けられてもよい。ガイド部６０は側面部６５が上方に突出していてもよく、吐出板７０には上方に突出した周り部７３が備えられてもよい。
【０１０６】
このとき、吐出板７０の周り部７３とガイド部６０の側面部６５は、上端が同じ高さで設けられ、ガイドリング９０によって当接してもよい。即ち、後述するガイドリング９０はガイド部６０の下側にかみ合い、ガイド部６０の側面部６５にかみ合うことで吐出板７０の周り部７３と接触して、吐出板の上方の動きを制限して吐出板７０がガイド部６０に圧着固定されるようにすることができる。
【０１０７】
本実施例の吐出板７０は、周り部７３が上方に突出する代わりに、少なくとも周り部分の高さがガイド部６０の側面部６５と対応するように設けられて、ガイドリング９０によって吐出板７０の周りが固定されてもよい。即ち、本明細書における周り部７３はガイド部６０の側面部６５と対応する高さを有する吐出板７０の周り部分を包括するように解釈されることができる。
【０１０８】
この場合、吐出板７０は上面が凸のドーム状をなしてもよく、中心から周辺に向かうほど高さが低くなり、周りにおける高さがガイド部６０の側面部６５に対応することができる。
【０１０９】
含浸部材８０は吐出板７０の上面に備えられ、吐出板７０の吐出口７１を介して排出された化粧品を含浸する。使用者が塗布部材３０を利用して含浸部材８０を押すと、含浸部材８０を含む吐出部が下降しながら排出手段４０が作動して化粧品が排出され、排出された化粧品は含浸部材８０に漏れ出るようになる。
【０１１０】
このとき、使用者は含浸部材８０を介して塗布部材３０の塗布面に伝達された化粧品を肌などに塗って使用することができる。即ち、含浸部材８０は化粧品の一時的な貯蔵を具現し、使用者が使用するときにクッション感を提供することができる。このため、含浸部材８０はドーム状の断面を有することもできる。
【０１１１】
勿論、含浸部材８０はいくらでも省略可能であり、この場合、上キャップ２２を開けると、含浸部材８０の代わりに吐出板７０が外部に露出されることができる。吐出板７０が直接外部に露出される構造を適用する場合、吐出板７０は少なくとも部分的に金属からなるか、金属コーティングが適用されて美感を向上させることができる。
【０１１２】
吐出板７０と含浸部材８０の間には別途のフィルター（不図示）が設けられてもよい。フィルターは、綿、メッシュ、合成樹脂などの様々な材質からなってもよく、含浸部材８０と類似する多孔性材質も可能である。フィルターは弾性力を有することができ、周辺がガイドリング９０によって圧着され固定されることでフィルターと吐出板７０の間が十分に密着されることができる。
【０１１３】
このようなフィルターは少なくとも吐出口７１より小さい微細ホールが形成される構造であってもよく、特に、フィルターの微細ホールは含浸部材８０の気孔より小さく設けられて異物をフィルタリングすることができる。
【０１１４】
ガイドリング９０はガイド部６０の周りに結合される。ガイドリング９０はガイド部６０と含浸部材８０を固定することができ、また、吐出板７０もガイド部６０に固定することができる。
【０１１５】
ガイドリング９０はガイド部６０の周りを上下にかみ合って固定する構造を有することができ、具体的に、ガイドリング９０は上端部が内側に折り曲げられる段差９１と、内周面の下端部から突出する突起９２と、を含んでもよい。
【０１１６】
ガイドリング９０の突起９２はガイド部６０の下端に引っ掛かる。突起９２はガイド部６０の下端を囲んで引っ掛かるように丸枠状に設けられるか、放射状に配置される２以上で設けられてもよい。
【０１１７】
ガイドリング９０は突起９２がガイド部６０の下端に引っ掛かって上方への移動が拘束され、このとき、ガイドリング９０の段差９１がガイド部６０の側面部６５にかみ合うことができる。従って、ガイドリング９０はガイド部６０によって上下方向への動きが制限される。
【０１１８】
このとき、ガイドリング９０の段差９１は、含浸部材８０の周り部分を圧縮するようにして含浸部材８０がガイド部６０の内側に位置した状態を保持させることができる。
【０１１９】
また、ガイドリング９０の段差９１は、吐出板７０の周りから上方に突出した周り部７３と当接して吐出板７０の周り部７３が上方に移動できないように拘束することができ、これにより、ガイド部６０に対して吐出板７０が上下密着固定されるようにすることができる。
【０１２０】
ガイドリング９０の段差９１は含浸部材８０、ガイド部６０の側面部６５、吐出板７０の周り部７３のうち、少なくとも含浸部材８０及び吐出板７０の周り部７３を圧着固定するように設けられてもよい。
【０１２１】
例えば、段差９１はＬ字の断面を有し、下方に延長された下端で吐出板７０の周り部７３を圧着しながら、ガイド部６０の側面部６５は加圧しないように設けられることもできる。これは、段差９１がガイド部６０に装着された吐出板７０を係止固定すると、ガイド部６０の上方移動が間接的に拘束されるからである。
【０１２２】
また、この場合、ガイド部６０の側面部６５が吐出板７０の周り部７３に比べて、多少上方に突出した高さを有することもでき、側面部６５の上端は段差９１内に収容されてシーリング機能がさらに強化されることができる。
【０１２３】
このようなガイドリング９０の構造により、ガイド部６０に対して吐出板７０と含浸部材８０が上下方向に浮かずに位置を安定的に保持するように締結されることができる。
【０１２４】
このように説明した本実施例は、円形断面の内容器１１を利用して化粧品を貯蔵し、非円形断面の外容器１２内に内容器１１を収納するが、拘束部１２２などを利用して外容器１２内で内容器１１が強固に位置固定されるようにすることで、内容器１１の形状に関わらず自由に外部形状を選択することができる。
【０１２５】
また、本実施例は、ディープポンプタイプの排出手段４０を使用するが、ガイドリング９０を取り囲んで吐出部を開閉するように設けられる蓋部２０において、排出手段４０の作動による化粧品の排出時に、外部の空気がガイドリング９０と蓋部２０／口部１２１の間を経由して内容器１１に伝達されるようにして、内容器１１の内圧を問題なく補償することができる。
【０１２６】
本考案は、上記で説明した実施例に限定されず、上記実施例のうち少なくとも２つ以上を組み合わせたものや上記実施例のうち少なくとも何れか１つと公知技術を組み合わせたものを新たな実施例として含むことができる。
【０１２７】
以上、本考案を具体的な実施例を通じて詳細に説明したが、これは本考案を具体的に説明するためのものであり、本考案はこれに限定されず、本考案の技術的思想内で当該分野の通常の知識を有する者によってその変形や改良が可能であることは明らかである。
【０１２８】
本考案の単純な変形ないし変更は全て本考案の領域に属し、本考案の具体的な保護範囲は添付の請求の範囲によって明確になるだろう。
【符号の説明】
【０１２９】
１  化粧品容器
１０  容器本体
１１  内容器
１１１  固定溝
１２  外容器
１２１  口部
１２２  拘束部
１３  ショルダー外キャップ
１５  入口部
１６  底カバー
１６１  突出部
２０  蓋部
２１  下キャップ
２２  上キャップ
２３  キャッピング部
２４  中体
３０  塗布部材
３１  把持部
４０  排出手段
４１  ポンプ本体
４２  昇降部
４３  弾性部材
５０  吸引管
６０  ガイド部
６１  排出口
６２  第１流路
６３  第２流路
６５  側面部
６７  挿入部
７０  吐出板
７１  吐出口
７２  凹凸部
７３  周り部
８０  含浸部材
９０  ガイドリング
９１  段差
９２  突起
Ｇ  間隙
【図１】
0003232236.tif 000003
【図２】
0003232236.tif 000004
【図３】
0003232236.tif 000005
【図４】
0003232236.tif 000006
【図５】
0003232236.tif 000007
【図６】
0003232236.tif 000008
【図７】
0003232236.tif 000009
【図８】
0003232236.tif 000010
【図９】
0003232236.tif 000011
【図１０】
0003232236.tif 000012
【図１１】
0003232236.tif 000013
【図１２】
0003232236.tif 000014